(57)【要約】【課題】  コンテンツ製作者が製作した音楽や動画等のコンテンツの複製及び流通を自由にしても、著作権の権利行使やスポンサーを付ける等をせずにコンテンツ製作者の利益を確保できるようにする。【解決手段】  ネットワーク４を介して視聴者端末３との間での情報通信を行うことが可能なサーバ端末１を備えるコンテンツ情報配信システム１００であって、コンテンツに付帯するコンテンツ付帯情報を、それぞれのコンテンツに固有の登録ＩＤと関連付けて記憶するコンテンツ情報記憶手段と、視聴者端末３で指定された複製コンテンツから複製コンテンツのＩＤを導出するＩＤ導出手段と、導出手段で導出された登録ＩＤをもとに該登録ＩＤに対応するコンテンツ付帯情報をコンテンツ情報記憶手段から読み出して前記視聴者端末に送信する情報送信手段とを有する。【選択図】  図２
2007226286.tif 000002
【特許請求の範囲】
【請求項１】
ネットワークを介して視聴者端末との間での情報通信を行うことが可能なサーバ端末を備えるコンテンツ情報配信システムであって、
コンテンツに付帯するコンテンツ付帯情報を、それぞれの前記コンテンツに固有の登録ＩＤと関連付けて記憶するコンテンツ情報記憶手段と、
視聴者端末で指定された複製コンテンツのＩＤを導出するＩＤ導出手段と、
前記ＩＤ導出手段で導出されたＩＤと対応する前記登録ＩＤに関連付けられたコンテンツ付帯情報を前記コンテンツ情報記憶手段から読み出して前記視聴者端末に送信する情報送信手段と
を有することを特徴とするコンテンツ情報配信システム。
【請求項２】
ネットワークを介して前記サーバ端末に接続可能な登録端末を更に備え、
前記登録端末は、
前記サーバ端末に前記コンテンツ付帯情報を送信して該サーバ端末に導入された前記コンテンツ情報記憶手段に対し、該コンテンツ付帯情報及び前記登録ＩＤの記憶を指示するコンテンツ登録指示手段を更に備えることを特徴とする請求項１に記載のコンテンツ情報配信システム。
【請求項３】
所定のアルゴリズムに従ってコンテンツを構成するデータから前記固有の登録ＩＤを発行する登録ＩＤ発行手段を更に備え、
前記ＩＤ導出手段は、前記所定のアルゴリズムに含まれる手順を少なくとも部分的に含む部分アルゴリズムに従って前記視聴者端末で指定された複製コンテンツを構成するデータからＩＤを導出することを特徴とする請求項１または２に記載のコンテンツ情報配信システム。
【請求項４】
前記所定のアルゴリズムは、コンテンツを構成するデータの所定情報量単位ごとに部分ＩＤを生成する第１の手順と、コンテンツを構成するデータ全体から全体ＩＤを生成する第２の手順と、前記第１及び第２の手順で生成したＩＤを所定の方法で組み合わせて構成される前記登録ＩＤを発行する第３の手順とを含み、
前記部分アルゴリズムは、前記第１の手順と前記第２の手順とを含むことを特徴とする請求項３に記載のコンテンツ情報配信システム。
【請求項５】
前記ＩＤ導出手段は前記ネットワークに接続された前記視聴者端末に導入されており、
該ＩＤ導出手段で導出された複製コンテンツのＩＤを前記ネットワークを介して前記視聴者端末から受信するＩＤ受信手段が前記サーバ端末に導入されていることを特徴とする請求項１〜４のいずれか一項に記載のコンテンツ情報配信システム。
【請求項６】
前記ＩＤ導出手段は、視聴者端末における複製コンテンツの再生に同期して該複製コンテンツのＩＤの導出を実行することを特徴とする請求項５に記載のコンテンツ情報配信システム。
【請求項７】
前記ＩＤ導出手段が前記サーバ端末に導入され、
前記視聴者端末で指定された複製コンテンツを構成するデータを前記ネットワークを介して該視聴者端末から受信する複製コンテンツ受信手段が前記サーバ端末に導入されており、
前記ＩＤ導出手段は、前記複製コンテンツ受信手段が受信した複製コンテンツを構成するデータからＩＤを導出することを特徴とする請求項１〜６のいずれか一項に記載のコンテンツ情報配信システム。
【請求項８】
前記コンテンツは、コンテンツ製作者が製作した放送番組であり、
前記コンテンツ付帯情報は、前記放送番組の内容に関連した商品やサービスに関する関連商品情報であることを特徴とする請求項１〜７のいずれか一項に記載のコンテンツ情報配信システム。
【請求項９】
ネットワークを介して視聴者端末との間での情報通信を行うことが可能なサーバ端末で解釈されるプログラムであって、
コンテンツに付帯するコンテンツ付帯情報を、それぞれの前記コンテンツに固有の登録ＩＤと関連付けて記憶手段に記憶するコンテンツ情報記憶手順と、
視聴者端末で指定された複製コンテンツのＩＤを導出するＩＤ導出手順と、
前記ＩＤ導出手段で導出されたＩＤと対応する前記登録ＩＤに関連付けられたコンテンツ付帯情報を前記記憶手段から読み出して前記視聴者端末に送信する情報送信手順と
を前記サーバ端末に実行させるためのプログラム。
【請求項１０】
コンテンツに付帯するコンテンツ付帯情報をそれぞれの前記コンテンツに固有の登録ＩＤと関連付けて記憶するコンテンツ情報記憶手段と、視聴者端末で指定された複製コンテンツのＩＤを導出するＩＤ導出手段と、前記ＩＤ導出手段で導出されたＩＤと対応する前記登録ＩＤに関連付けられたコンテンツ付帯情報を前記コンテンツ情報記憶手段から読み出して前記視聴者端末に送信する情報送信手段とを備えるコンテンツ情報配信システムに備えられるサーバ端末とネットワークを介して情報通信を行うことが可能な視聴者端末で解釈されるプログラムであって、  複製コンテンツの再生に同期して該複製コンテンツのＩＤを導出する前記ＩＤ導出手順と、
該導出したＩＤを前記サーバ端末に送信するＩＤ送信手順と、
前記ＩＤの送信に対する応答により前記サーバ端末から送信されてきたコンテンツ付帯情報を受信する情報受信手順と
を前記視聴者端末に実行させるためのプログラム。
【請求項１１】
コンテンツに付帯するコンテンツ付帯情報をそれぞれの前記コンテンツに固有の登録ＩＤと関連付けて記憶するコンテンツ情報記憶手段と、視聴者端末で指定された複製コンテンツのＩＤを導出するＩＤ導出手段と、前記ＩＤ導出手段で導出されたＩＤと対応する前記登録ＩＤに関連付けられたコンテンツ付帯情報を前記コンテンツ情報記憶手段から読み出して前記視聴者端末に送信する情報送信手段とを備えるコンテンツ情報配信システムに備えられるサーバ端末とネットワークを介して情報通信を行うことが可能な登録端末で解釈されるプログラムであって、
コンテンツに固有の前記登録ＩＤを発行する登録ＩＤ発行手順と、
前記サーバ端末に導入された前記コンテンツ情報記憶手段に対し、前記登録ＩＤ発行手順で発行した登録ＩＤと当該コンテンツに付帯するコンテンツ付帯情報の記憶を指示するコンテンツ登録指示手順と
を前記登録端末に実行させるためのプログラム。
【発明の詳細な説明】
【技術分野】
【０００１】
本発明は、コンテンツ情報配信システム及びプログラムに関し、特に、コンテンツ製作者が製作した音楽や動画等のコンテンツ（番組）の複製及び流通を自由にしても、著作権の権利行使やスポンサーを付ける等をせずにコンテンツ製作者の利益を確保できるコンテンツ情報配信システム及びプログラムに係わるものである。
【背景技術】
【０００２】
近年では、インターネットが普及し、ネットワーク越しで音楽や動画等のコンテンツを不正にコピー（複製）されてしまうという問題が発生している。
【０００３】
その対策として、従来では、コンテンツの流通や再生に制限を加えるＤＲＭ（例えば、非特許文献１参照）や超流通等の著作権を保護する保護技術が提供されている。
【０００４】
しかし、そのような技術を導入したとしても、一部の悪質な視聴者にコンテンツを不正コピーされてしまう。例え、新たな保護技術を開発したとしても、保護技術開発者と悪質な視聴者との間で不毛なイタチごっこを繰り返すだけである。
【０００５】
また、前述のような保護技術を導入すると、一般の正当な視聴者のコンテンツ再生時における利便性を下げてしまう。
【０００６】
すなわち、インターネットが普及した現状において、コンテンツ製作者が製作したコンテンツの不正コピー及び不正流通を完全に防ぐ手段が存在しない。このため、コンテンツを不正にコピー／流通されると、コンテンツ製作者は著作権保護を受けることができず、コンテンツの製作により本来受けるべき利益を得ることができないでいる。
【非特許文献１】ＵＲＬ：ｈｔｔｐ://e-words.jp/w/DRM.html
【発明の開示】
【発明が解決しようとする課題】
【０００７】
本発明は、上述の状況に鑑みて、コンテンツ製作者が製作した音楽や動画等のコンテンツの複製及び流通を自由にしても、著作権の権利行使やスポンサーを付ける等をせずにコンテンツ製作者の利益を確保できるコンテンツ情報配信システム及びプログラムを提供することをその目的とする。
【０００８】
また、本発明の他の目的は、ネットワーク越しで視聴者に配信されたコンテンツが他の視聴者へと複製／流通されるような二次流通でさえ、コンテンツ製作者の利益獲得チャンスに結び付けることが可能なコンテンツ情報配信システム及びプログラムを提供することもその目的とする。
【０００９】
本発明の更に他の目的は、コンテンツの複製及び流通を容認することにより、視聴者がコンテンツ再生時に煩わしさを感じなくなるようにできるコンテンツ情報配信システム及びプログラムを提供することもその目的とする。
【課題を解決するための手段】
【００１０】
上記目的を達成するために、本請求項１に係る発明は、ネットワークを介して視聴者端末との間での情報通信を行うことが可能なサーバ端末を備えるコンテンツ情報配信システムであって、コンテンツに付帯するコンテンツ付帯情報を、それぞれの前記コンテンツに固有の登録ＩＤと関連付けて記憶するコンテンツ情報記憶手段と、視聴者端末で指定された複製コンテンツから複製コンテンツのＩＤを導出するＩＤ導出手段と、前記ＩＤ導出手段で導出されたＩＤと対応する前記登録ＩＤに関連付けられたコンテンツ付帯情報を前記コンテンツ情報記憶手段から読み出して前記視聴者端末に送信する情報送信手段とを有することによって、上記目的を達成するものである。
【００１１】
また、本請求項２に係る発明は、本請求項１の発明の構成に加えて、ネットワークを介して前記サーバ端末に接続可能な登録端末を更に備え、前記登録端末は、前記サーバ端末に前記コンテンツ付帯情報を送信して該サーバ端末に導入された前記コンテンツ情報記憶手段に対し、該コンテンツ付帯情報及び前記登録ＩＤの記憶を指示するコンテンツ登録指示手段を更に備えることによって、上記目的を達成するものである。
【００１２】
また、本請求項３に係る発明は、本請求項１または２の発明の構成に加えて、所定のアルゴリズムに従ってコンテンツを構成するデータから前記固有の登録ＩＤを発行する登録ＩＤ発行手段を更に備え、前記ＩＤ導出手段は、前記所定のアルゴリズムに含まれる手順を少なくとも部分的に含む部分アルゴリズムに従って前記視聴者端末で指定された複製コンテンツを構成するデータから複製コンテンツのＩＤを導出することによって、上記目的を達成するものである。
【００１３】
また、本請求項４に係る発明は、本請求項３の発明の構成に加えて、前記所定のアルゴリズムは、コンテンツを構成するデータの所定情報量単位ごとに部分ＩＤを生成する第１の手順と、コンテンツを構成するデータ全体から全体ＩＤを生成する第２の手順と、前記第１及び第２の手順で生成したＩＤを所定の方法で組み合わせて構成される前記登録ＩＤを発行する第３の手順とを含み、前記部分アルゴリズムは、前記第１の手順と前記第２の手順とを含むことによって、上記目的を達成するものである。
【００１４】
また、本請求項５に係る発明は、本請求項１〜４のいずれか一項に記載の発明の構成に加えて、前記ＩＤ導出手段は前記ネットワークに接続された前記視聴者端末に導入されており、該ＩＤ導出手段で導出された複製コンテンツのＩＤを前記ネットワークを介して前記視聴者端末から受信するＩＤ受信手段が前記サーバ端末に導入されていることによって、上記目的を達成するものである。
【００１５】
また、本請求項６に係る発明は、本請求項５に記載の発明の構成に加えて、前記ＩＤ導出手段は、視聴者端末における複製コンテンツの再生に同期して該複製コンテンツのＩＤの導出を実行することによって、上記目的を達成するものである。
【００１６】
また、本請求項７に係る発明は、本請求項１〜６のいずれか一項に記載の発明の構成に加えて、前記ＩＤ導出手段が前記サーバ端末に導入され、前記視聴者端末で指定された複製コンテンツを構成するデータを前記ネットワークを介して該視聴者端末から受信する複製コンテンツ受信手段が前記サーバ端末に導入されており、前記ＩＤ導出手段は、前記複製コンテンツ受信手段が受信した複製コンテンツを構成するデータからＩＤを導出することによって、上記目的を達成するものである。
【００１７】
また、本請求項８に係る発明は、本請求項１〜７のいずれか一項に記載の発明の構成に加えて、前記コンテンツは、コンテンツ製作者が製作した放送番組であり、前記コンテンツ付帯情報は、前記放送番組の内容に関連した商品やサービスに関する関連商品情報であることによって、上記目的を達成するものである。
【００１８】
また、本請求項９に係る発明は、ネットワークを介して視聴者端末との間での情報通信を行うことが可能なサーバ端末で解釈されるプログラムであって、コンテンツに付帯するコンテンツ付帯情報を、それぞれの前記コンテンツに固有の登録ＩＤと関連付けて記憶手段に記憶するコンテンツ情報記憶手順と、視聴者端末で指定された複製コンテンツのＩＤを導出するＩＤ導出手順と、前記ＩＤ導出手段で導出されたＩＤと対応する前記登録ＩＤに関連付けられたコンテンツ付帯情報を前記記憶手段から読み出して視聴者端末に送信する情報送信手順とを前記サーバ端末に実行させることによって、上記目的を達成するものである。
【００１９】
また、本請求項１０に係る発明は、コンテンツに付帯するコンテンツ付帯情報をそれぞれの前記コンテンツに固有の登録ＩＤと関連付けて記憶するコンテンツ情報記憶手段と、視聴者端末で指定された複製コンテンツのＩＤを導出するＩＤ導出手段と、前記ＩＤ導出手段で導出されたＩＤと対応する前記登録ＩＤに関連付けられたコンテンツ付帯情報を前記コンテンツ情報記憶手段から読み出して前記視聴者端末に送信する情報送信手段とを備えるコンテンツ情報配信システムに備えられるサーバ端末とネットワークを介して情報通信を行うことが可能な視聴者端末で解釈されるプログラムであって、複製コンテンツの再生に同期して該複製コンテンツのＩＤを導出する前記ＩＤ導出手順と、該導出したＩＤを前記サーバ端末に送信するＩＤ送信手順と、前記ＩＤの送信に対する応答により前記サーバ端末から送信されてきたコンテンツ付帯情報を受信する情報受信手順とを前記視聴者端末に実行させることによって、上記目的を達成するものである。
【００２０】
また、本請求項１１に係る発明は、コンテンツに付帯するコンテンツ付帯情報をそれぞれの前記コンテンツに固有の登録ＩＤと関連付けて記憶するコンテンツ情報記憶手段と、視聴者端末で指定された複製コンテンツのＩＤを導出するＩＤ導出手段と、前記ＩＤ導出手段で導出されたＩＤと対応する前記登録ＩＤに関連付けられたコンテンツ付帯情報を前記コンテンツ情報記憶手段から読み出して前記視聴者端末に送信する情報送信手段とを備えるコンテンツ情報配信システムに備えられるサーバ端末とネットワークを介して情報通信を行うことが可能な登録端末で解釈されるプログラムであって、コンテンツに固有の前記登録ＩＤを発行する登録ＩＤ発行手順と、前記サーバ端末に導入された前記コンテンツ情報記憶手段に対し、前記登録ＩＤ発行手順で発行した登録ＩＤと当該コンテンツに付帯するコンテンツ付帯情報の記憶を指示するコンテンツ登録指示手順とを前記登録端満末に実行させることによって、上記目的を達成するものである。
【発明の効果】
【００２１】
本発明によれば、視聴者端末で指定された複製コンテンツ｛オリジナルのコンテンツから何らかの方法（ネットワークからのダウンロードやＤＶＤ−ＲＷなどの外部情報記憶媒体からのコピーなど）により複製されたコンテンツであって、利用者端末において再生、閲覧可能な状態とされたコンテンツ｝からＩＤを導出し、このＩＤに対応する登録ＩＤに関連付けられたコンテンツ付帯情報（コンテンツの関連商品などの情報を視聴者端末において表示させる際に用いる情報）を視聴者端末に送信するようにしているため、視聴者が関連商品に興味を持って実際に関連商品を購入した場合、その商品販売結果に応じてコンテンツ製作者に利益を与えるなどにより、コンテンツ製作者が製作した音楽や動画等のコンテンツ（番組）の複製及び流通を自由にしても、著作権の権利行使やスポンサーを付ける等をせずにコンテンツ製作者の利益を確保することが可能になる。
【００２２】
また、本発明によれば、視聴者端末においてシステムに登録されたコンテンツに関連付けられた関連商品の購入などに視聴者を誘導するためのコンテンツ付帯情報を視聴者端末に送信するようにしているので、ネットワーク越しで視聴者に配信されたコンテンツが他の視聴者へと複製／流通されるような二次流通でさえ、コンテンツ製作者の利益獲得チャンスに結び付けることができる。
【００２３】
さらに、本発明によれば、コンテンツの複製や流通を無制限に容認してもコンテンツ製作者の利益を確保することが可能となるため、例えば、配布するコンテンツを暗号化し、認証によりに正統と認められた視聴者端末でのみ再生可能にするようにコンテンツを加工する（再生制限を加える）必要が無く、これにより、例えば、視聴者が視聴者端末に対してコンテンツ再生時にコンテンツの暗号解析処理等の再生制限を解除する処理を実行させるというような特別な操作を行わずに済み、よって視聴者の利便性を損なわずに済む。
【発明を実施するための最良の形態】
【００２４】
本発明の概要は、コンテンツ製作者が製作した音楽や動画等のコンテンツ（番組）ファイルの複製及び流通を自由にしても、著作権の権利行使やスポンサーを付ける等をせずにコンテンツ製作者の利益を確保できるコンテンツ情報配信システムにある。
【００２５】
以下、本発明の実施形態について添付図面を参照して詳細に説明する。
【００２６】
なお、以下では、コンテンツ及びそのコンテンツに関連付けるコンテンツ付帯情報を特定する場合に用いる登録ＩＤの発行方法の違いに応じて第１の実施形態と第２の実施形態に分けて説明するものとする。
【００２７】
［１］まず最初に、本発明の第1の実施形態について図１乃至図１５を用いて説明する。
【００２８】
第１の実施形態では、視聴者に配布するコンテンツの登録ＩＤをＭＤ５（Ｍｅｓｓａｇｅ  Ｄｉｇｅｓｔ  Ａｌｇｏｒｉｔｈｍ５）などの演算手法を用いて発行する場合のコンテンツ情報配信システムの構成を示す。
【００２９】
図１は、本発明によって実現される、音楽や動画等のコンテンツ（番組）及びそのコンテンツの内容に関連付けられた関連商品の流通形態を示す図である。  
図１に示す流通形態では、（１）コンテンツ製作者が、視聴者に配布するためのコンテンツ（複製容認用のコンテンツ）に該コンテンツの内容に関連した関連商品情報の視聴者による閲覧を可能にするためのコンテンツ付帯情報｛商品の販売を取り扱う小売業者へのリンク先情報：ＵＲＬ（例えば、ｈｔｔｐ：／／ｗｗｗ．ｒａｋｕｔｅｎ．ｃｏ．ｊｐ）など｝を対応付けた後、ネットワークやサーバ端末を介して不特定多数の視聴者に配布提供する。（２）視聴者が、ネットワークを介してコンテンツ製作者からコンテンツを入手する以外にも、他の視聴者とのやり取り（例えば、ＣＤ−ＲＷ，ＤＶＤ−ＲＷ等の外部情報記憶媒体を介して）によってコンテンツを入手することができる。（３）視聴者が、コンテンツの視聴の際に興味を持った商品へのリンクをたどり、小売業者の商品販売ページを参照する。（４）視聴者が商品を購入する。（５）販売数に応じた紹介料収入やコンテンツ製作者が自ら開発した商品の代金等がコンテンツ製作者に入る。
【００３０】
ここでいうコンテンツとその関連商品の例としては、「インディーズバンドのライブ中継番組」と「その番組関連のＣＤやＤＶＤ」や、「教育番組」と「参考文献などの関連書籍」や、「ドラマや演劇やインディーズバンドのライブ中継等の番組」と「それら番組出演者の公演チケット」や、「ドラマ番組や映画番組」と「撮影ロケ地へのパック旅行契約」や、「健康番組」と「エステやマッサージを受ける契約」等、現在インターネット上で販売及び提供可能な全ての商品やサービスを取り扱うことができる。  
また、その他、番組製作者が番組製作中に聞いていたＢＧＭなどを関連商品として視聴者に紹介しても良い。この場合、視聴者が番組製作者と同じ感覚の共有を求めて商品を購入することも考えられる。  
また、コンテンツとしては、動画データや静止画データ或いは音楽データによるコンテンツ以外にも、テキストデータによるコンテンツ（例えば「小説」など）であっても良い。
【００３１】
なお、小売業者から視聴者への商品の引き渡し方法としては、小売業者の倉庫や製造工場等からの配送、郵送、宅配等がある。また、視聴者が小売業者に金銭を支払う方法としては、料金代引き、銀行振り込み、郵便振替、クレジットカード利用、電子決済、プリペイドカード等がある。
【００３２】
次に、前述の図１に示す流通形態を実現するためのコンテンツ情報配信システムの詳細について説明する。
【００３３】
図２は、本発明を適用したコンテンツ情報配信システム１００の一構成例を示す図である。このコンテンツ情報配信システム１００は、システム管理者の管理下にあるサーバ端末１と、コンテンツ製作者が利用する登録端末２と、視聴者が利用する視聴者端末３（３Ａ、３Ｂ、・・・）とをインターネットなどのネットワーク４を介して相互に接続して構成される。
【００３４】
図２において、サーバ端末１は、コンテンツ製作者が製作したコンテンツに、同コンテンツ製作者によって指定されたコンテンツ付帯情報（コンテンツを紹介するコメント情報や、コンテンツの内容に関連した商品やサービス等の関連商品情報）を関連付けてデータベース（ＤＢ）に登録管理する。また、このサーバ端末１は、視聴者端末３からコンテンツ指定によるコンテンツ付帯情報の送信要求を受け、該視聴者端末３で指定されたコンテンツに関連付けて登録管理しているコンテンツ付帯情報を該視聴者端末３にネットワーク４を介して配信するためのシステム管理者のコンピュータ端末である。  
登録端末２は、コンテンツ製作者がコンテンツとそのコンテンツに付帯するコンテンツ付帯情報とをシステムに登録指示するためのコンテンツ製作者側のコンピュータ端末である。  
視聴者端末３は、ネットワーク４やＣＤ−ＲＷ，ＤＶＤ−ＲＷ等の外部情報記憶媒体を介して音楽や動画等のコンテンツを取得し、コンテンツの再生を行う。また、サーバ端末１に対してコンテンツ付帯情報の配信を要求するための視聴者側のコンピュータ端末である。
【００３５】
図３は、図１に示したサーバ端末１のシステム構成を示すブロック図であり、図４は、図１に示した視聴者端末３のシステム構成を示すブロック図である。
【００３６】
図３において、このサーバ端末１は、ネットワーク４を介して登録端末２や視聴者端末３との間での情報通信を行うことが可能なコンピュータ端末である。  
このサーバ端末１は、制御部１１と、表示処理部１２と、操作処理部１３と、記憶媒体読取り／書込み部１４と、通信インタフェース部１５と、作業メモリ部１６と、記憶装置１７とをシステムバス１８を介して相互に電気的に接続している。なお、このサーバ端末１１０は、図示しない電源供給部から電力が供給されて稼動する。  
ここで、制御部１１は、ＣＰＵなどで実現され、記憶装置１７に格納されるプログラムなどに基づきシステム全体を統括的に制御する。  
表示処理部１２は、制御部１１の制御のもと表示部１２１に各種情報を表示処理する。本実施例では、後述の記憶装置１７に格納される各ＤＢ（データベース）に登録している各種情報の内容（例えば、図１０及び図１１に示す情報）をシステム管理者が確認できるように表示部１２１に表示処理する。  
操作処理部１３は、制御部１１の制御のもとキーボード１３１やマウス１３２からの操作入力情報を処理する。本実施例では、システム管理者が、表示部１２１に表示されたＤＢ（データベース）の内容を変更或いは削除する場合等にキーボード１３１やマウス１３２で入力した入力情報を処理する。  
記憶媒体読取り／書込み部１４は、制御部１１の制御のもとＣＤ−ＲＷやＤＶＤ−ＲＷ等の外部情報記憶媒体に対する情報の読取り及び書込み処理を行う。本実施例では、コンテンツ製作者から送付されてきたＤＶＤ−ＲＷなどからそのコンテンツ製作者が配布用に用意した動画等のコンテンツや、コンテンツ付帯情報等を読取り処理する。  
通信インタフェース部１５は、インターネットなどのネットワーク４を介してコンテンツ製作者の登録端末２や視聴者の視聴者端末３との間で各種情報の送受信処理をする。本実施例では、登録端末２からコンテンツ及びコンテンツ付帯情報を受信するとともに、視聴者端末３に複製したコンテンツを送信したり、視聴者端末３からＩＤを受信し、視聴者端末３にコンテンツ付帯情報を送信する。  
作業メモリ部１６は、ＲＡＭなどで実現され、作業中のデータを一時的に記憶する。本実施例では、システム管理者が前述のＤＢ（データベース）に登録している内容を変更したり、削除する場合の各種情報を一時記憶する。  
記憶装置１７は、ハードディスク（ＨＤ）などで実現され、このサーバ端末１を制御するための基本的なプログラムを格納している。
【００３７】
そして、本実施例では、前述の記憶装置１７に、コンテンツ情報配信プログラム１７１と、コンテンツＤＢ（データベース）１７２と、番組表ＤＢ（データベース）１７３と、コンテンツ付帯情報ＤＢ（データベース）１７４とを格納している。
【００３８】
ここで、コンテンツ情報配信プログラム１７１は、制御部（ＣＰＵ）１１で解釈され、登録端末２からコンテンツ製作者情報を登録するためのコンテンツ製作者登録ページの送信要求に応じて該登録端末２に対してコンテンツ製作者登録ページを送信するコンテンツ製作者登録ページ送信手順と、登録端末２から受信したコンテンツ製作者情報（製作者名や連絡先等）を登録処理するコンテンツ製作者情報登録手順と、登録端末２からのコンテンツ及びコンテンツ付帯情報を登録するための登録ページの送信要求に応じて該登録端末２に対して登録ページを送信する登録ページ送信手順と、所定のアルゴリズムに従って、コンテンツを構成するデータから登録ＩＤを発行する登録ＩＤ発行手順と、音楽や動画等のコンテンツごとに付帯するコンテンツ付帯情報（関連商品情報）をそれらコンテンツごとに前述の登録ＩＤ発行手順により発行された登録ＩＤと関連付けて記憶装置１７に記憶するコンテンツ情報記憶手順と、視聴者端末３に配布された複製コンテンツのＩＤを視聴者端末から受信するＩＤ受信手順と、該受信したＩＤに対応するコンテンツ付帯情報を視聴者端末３に送信する情報送信手順とを視聴者端末３に実行させるための処理プログラムである。  
なお、前述の登録ＩＤ発行手順の所定のアルゴリズムとしては、与えられた原文から固定長の疑似乱数｛ハッシュ値或いはフィンガプリント（指紋）或いはＭＤ5値とも呼ばれるが、以下の説明では、「ハッシュ値」と呼ぶ｝を生成するＭＤ５（Ｍｅｓｓａｇｅ  Ｄｉｇｅｓｔ  Ａｌｇｏｒｉｔｈｍ５）などの演算手法を用いる。  
そして、登録ＩＤ発行手順は、前述の所定のアルゴリズムを用いてコンテンツの全体から算出生成される一つのハッシュ値と、そのコンテンツの所定情報量単位ごとに算出生成される複数のハッシュ値とを所定の方法で組み合わせて構成した登録ＩＤを発行する。
【００３９】
なお、具体的な登録ＩＤの一構成例を図９に示す。図９に示すように、登録ＩＤ発行手順は、コンテンツ製作者が配布用に登録指示したコンテンツ（図９の例では、「番組名：健康食材を使った料理番組」のコンテンツ）全体からＭＤ５などの演算手法を用いて１６バイトのハッシュ値を算出するとともに、そのコンテンツのデータ先頭からデータ末尾までを所定情報量単位（図９の例では、「１００ｋｂｙｔｅ」）ごとに区切り、その情報量単位ごとにＭＤ５を用いてハッシュ値を算出する。  
ここで、コンテンツ全体から算出したハッシュ値（例えば、図９の例では、「abcdefghi123456789jklmnopqrstuvw」）を全体ＩＤとし、前述の情報量単位ごとに算出したハッシュ値（例えば、図９の例では、「123456789abcdefghijklmnopqrstuvw」など）を部分ＩＤとする。  
そして、登録ＩＤ発行手順は、一つの全体ＩＤと、例えば、先頭から順番に並べた複数の部分ＩＤとを一組にしたものを登録用の登録ＩＤとして発行する。  
【００４０】
また、コンテンツＤＢ１７２は、コンテンツ製作者によって登録端末２で登録指示されたコンテンツを登録ＩＤと対応付けて登録管理するためのデータベースである。なお、登録管理情報の一構成例を図１０に示す。図１０に示す例では、コンテンツ製作者を特定するための製作者ＩＤが「Ａ」で、一つの全体ＩＤ「abcdefghi123456789jklmnopqrstuvw」と複数の部分ＩＤ「123456789abcdefghijklmnopqrstuvw，987654321abcdefghijklmnopqrstuvw，……」とを一組にした登録ＩＤに、ファイル名が「健康食材を使った料理番組」であるコンテンツを対応付けて登録管理している。また、そのコンテンツには、コンテンツ製作者名「料理研究家Ａ」と、連絡先「東京都江東区青海○−○−○」とが対応付けられている。
【００４１】
また、番組表ＤＢ１７３は、システム管理者側で用意した番組表に、コンテンツ製作者によって登録端末２で登録指示されたコンテンツの番組名やコンテンツについてのコメントなどの情報と登録ＩＤとを対応付けて登録管理するためのデータベースである。
【００４２】
また、コンテンツ付帯情報ＤＢ１７４は、コンテンツ製作者によって登録端末２で登録指示されたコンテンツ付帯情報を登録ＩＤと対応付けて登録管理するためのデータベースである。なお、登録管理情報の一構成例を図１１に示す。図１１に示す例では、コンテンツ製作者を特定するための製作者ＩＤが「Ａ」で、一つの全体ＩＤ「abcdefghi123456789jklmnopqrstuvw」と複数の部分ＩＤ「123456789abcdefghijklmnopqrstuvw，987654321abcdefghijklmnopqrstuvw，……」を一組にした登録ＩＤに、コンテンツ付帯情報のファイル名が「栄養バランスを考えた料理本」と「健康食材：黒ゴマ」」であるコンテンツ付帯情報を対応付けて登録管理している。なお、ここでいうコンテンツ付帯情報のファイルには、小売業者名や、小売業者へのリンクＵＲＬもファイルされている。また、この実施例では、そのコンテンツ付帯情報には、コンテンツ製作者名「料理研究家Ａ」と、連絡先「東京都江東区青海○−○−○」とが更に対応付けられている。
【００４３】
図４において、視聴者端末３は、ネットワーク４を介してサーバ端末１との間での情報通信を行うことが可能なコンピュータ端末である。
【００４４】
この視聴者端末３は、制御部３１と、表示処理部３２と、操作処理部３３と、記憶媒体読取り／書込み部３４と、通信インタフェース３５と、作業メモリ部３６と、記憶装置３７と、音声出力処理部３８とをシステムバス３８を介して相互に電気的に接続している。なお、この視聴者端末３は、図示しない電源供給部から電力が供給されて稼動する。
【００４５】
ここで、制御部３１は、ＣＰＵなどで実現され、記憶装置３７に格納されるプログラムなどに基づきシステム全体を統括的に制御する。  
表示処理部３２は、制御部３１の制御のもと表示部３２１に各種情報を表示処理する。本実施例では、視聴者が取得したコンテンツの再生映像（図１２の符号３０１参照）を表示部３２１に表示処理するとともに、コンテンツ付帯情報ページや商品販売ページ（図１３参照）を表示部３２１に表示処理する。なお、コンテンツ付帯情報ページとは、コンテンツの製作者又はシステム管理者などにより作成され、サーバ端末１から視聴者端末３に送信されるＷｅｂページであり、関連商品とコンテンツとの関連性など、視聴者に関連商品を売り込み、視聴者を商品販売ページに誘導するためのページである。また商品販売ページとは、小売業者により管理されるＷｅｂページであって、上記関連商品の販売サービスを行うぺージである。
【００４６】
操作処理部３３は、制御部３１の制御のもとキーボード３３１やマウス３３２で入力された情報を処理する。本実施例では、視聴者が後述のコンテンツ再生処理プログラム３８１を立ち上げて、コンテンツを取得する場合や、取得したコンテンツを再生する場合や、前述のコンテンツ付帯情報ページや商品販売ページを表示部３２１に表示する場合等にキーボード３３１やマウス３３２で入力された情報を処理する。  
記憶媒体読取り／書込み部３４は、制御部３１の制御のもとＣＤ−ＲＷやＤＶＤ−ＲＷ等の外部情報記憶媒体に対する情報の読取り及び書込み処理を行う。本実施例では、他の視聴者から取得したＤＶＤ−ＲＷなどからコンテンツ製作者が製作した音楽や動画等のコンテンツを読み取り処理する。また、本実施例では、サーバ端末１から受信したコンテンツをＣＤ−ＲＷ，ＤＶＤ−ＲＷ等の外部情報記憶媒体に書き込み処理する。
【００４７】
通信インタフェース部３５は、インターネットなどのネットワーク４を介してサーバ端末１との間で各種情報の送受信処理をする。本実施例では、サーバ端末１から複製コンテンツを受信したり、サーバ端末１に導出ＩＤを送信し、サーバ端末１からコンテンツ付帯情報を受信する。  
作業メモリ部３６は、ＲＡＭなどで実現され、作業中のデータを一時的に記憶する。本実施例では、視聴者が再生指定したコンテンツのデータや、再生開始したコンテンツから導出したＩＤや、サーバ端末１から受信したコンテンツ付帯情報等を一時記憶する。  
音声出力処理部３７は、視聴者が指定したコンテンツを再生してスピーカ３７１を用いて音声を出力処理する。  
記憶装置３８は、ハードディスク（ＨＤ）などで実現され、この視聴者端末３を制御するための基本的なプログラムを格納している。
【００４８】
そして、本実施例では、前述の記憶装置３８に、コンテンツ再生処理プログラム３８１を格納している。  
ここで、コンテンツ再生処理プログラム３８１は、制御部（ＣＰＵ）３１で解釈され、視聴者の指示に応じて視聴者が所望するコンテンツを取得するコンテンツ取得手順と、視聴者の指示に応じて取得したコンテンツの再生を実行する再生手順と、コンテンツの再生に同期して当該再生コンテンツのＩＤを導出するＩＤ導出手順と、該導出したＩＤをサーバ端末１に送信するＩＤ送信手順と、ＩＤ送信に対する応答によりサーバ端末１から送信されてきたコンテンツ付帯情報を受信する情報受信手順と、受信したコンテンツ付帯情報をもとに視聴者がコンテンツに関連付けられた関連商品を閲覧購入可能な表示画面（図１３に示すコンテンツ付帯情報ページや図１４に示す商品販売ページ）を表示する商品表示手順とを視聴者端末３に実行させるための処理プログラムである。  
なお、前述のコンテンツ再生処理プログラム３８１は、例えば、前述のコンテンツ取得手順と再生手順とを実行する機能を有するＷｉｎｄｏｗｓ（登録商標）  Ｍｅｄｉａ  Ｐｌａｙｅｒ等のコンテンツプレーヤー（番組再生ソフトウェアともいう）に、前述のＩＤ導出手順とＩＤ送信手順と情報受信手順と商品表示手順とを実行させるためのプラグインソフトウェアを追加することによって実現する。  
また、コンテンツ再生処理プログラム３８１のＩＤ導出手順は、図３で説明したコンテンツ情報配信プログラム１７１の登録ＩＤ発行手順と同様にＭＤ５などの所定のアルゴリズムによって再生コンテンツのＩＤを導出する。すなわち、コンテンツ情報配信プログラム１７１のＩＤ導出手順で定義されている情報量単位（コンテンツ全体と所定情報量単位ごと）でハッシュ値（図９参照）を求める。
【００４９】
なお、図２に示すコンテンツ製作者の登録端末２については、特別に図などを用意していないが、本発明の第1の実施形態における登録端末２は、ネットワーク４を介してサーバ端末１との間で情報通信を行って後述の図５に示す登録処理手順を実行できるものであれば良く、既存のＰＣ等のコンピュータ端末で実現できる。なお、システム構成としては、例えば、前述の図４に示した視聴者端末３とほぼ同様な構成を備えていれば良い。ただし、図４に示すコンテンツ再生処理プログラム３８１は実装されない。
【００５０】
次に、図５及び図６に示すフローチャートを参照して、コンテンツ情報配信システム１００の処理動作について説明する。
【００５１】
なお、以下の説明では、コンテンツ製作者「料理研究家Ａ」が、複製容認用のコンテンツとして「番組名：健康食材を使った料理番組」という放送番組を登録し、その放送番組の内容に関連した関連商品として「栄養バランスを考えた料理本」及び「健康食材：黒ゴマ」を登録する場合を例にし、また、視聴者Ｘが視聴者端末３Ａを用いてサーバ端末１から前述のコンテンツ（放送番組）「健康食材を使った料理番組」をネットワーク４を介して取得し、コンテンツの再生を行うとともに、そのコンテンツをもとに前述の関連商品「栄養バランスを考えた料理本」や「健康食材：黒ゴマ」の閲覧を行って実際に商品を購入する場合を例にして説明する。
【００５２】
まず、図５を用いて、コンテンツ製作者：「料理研究家Ａ」が製作した複製容認用のコンテンツ（「番組名：健康食材を使った料理番組」）及びそのコンテンツに付帯するコンテンツ付帯情報（関連商品「栄養バランスを考えた料理本」及び関連商品「健康食材：黒ゴマ」）をサーバ端末１に登録する場合の処理の流れについて説明する。
【００５３】
図５は、サーバ端末１と登録端末２との間でのコンテンツ及びコンテンツ付帯情報の登録処理手順を示すフローチャートである。
【００５４】
図５において、まず、コンテンツ製作者：「料理研究家Ａ」が登録端末２を用いてサーバ端末１にアクセスする。すると、登録端末２がサーバ端末１からトップページを受信処理し、図示省略のディスプレイ等の表示部に図示省略のトップページの表示処理を行う。  
次いで、コンテンツ製作者：「料理研究家Ａ」がその表示されたトップページにもとづき、コンテンツ製作者登録ページへの遷移操作を行うと、登録端末２がサーバ端末１に対してコンテンツ製作者登録ページの送信要求処理を実行する。これにより、登録端末２は、サーバ端末１からコンテンツ製作者登録ページのデータの受信処理を行い、表示部にコンテンツ製作者登録ページ２０１（図７参照）の表示処理を実行する（ステップＳ１０１〜ステップＳ１０５）。
【００５５】
次いで、コンテンツ製作者：「料理研究家Ａ」がその表示されたコンテンツ製作者登録ページ２０１の入力欄２０１ａに、コンテンツ製作者名や連絡先を入力し、「登録」ボタン２０１ｂを押下することにより（ステップＳ１０６）、登録者端末２が入力されたコンテンツ製作者名や連絡先等の情報をサーバ端末１に送信処理する（ステップＳ１０７）。これにより、サーバ端末１でコンテンツ製作者名や連絡先等の情報が登録され、製作者ＩＤが発行される（ステップＳ１０８及びステップＳ１０９）。そして、登録者端末２は、サーバ端末１から製作者ＩＤのデータを受信して、コンテンツ製作者登録ページ２０１の製作者ＩＤ欄２０１ｃに製作者ＩＤ（この例では、「Ａ」）を表示する（ステップＳ１１０）（図７参照）。なお、ここでいう製作者ＩＤとは、次回からコンテンツ製作者名や連絡先を登録せずにコンテンツ及びコンテンツ付帯情報の登録を行えるように（ログイン）するためのものである。
【００５６】
次いで、コンテンツ製作者：「料理研究家Ａ」が「登録ページへ」ボタン２０１ｄを押下すると、登録端末２がサーバ端末１に対して登録ページの送信要求処理を行う（ステップＳ１１１）。これにより、登録端末２は、サーバ端末１から登録ページのデータを受信して表示部にコンテンツ登録ページ２０２（図８参照）を表示処理する（ステップＳ１１２〜ステップＳ１１５）。  
そして、コンテンツ製作者：「料理研究家Ａ」が表示された登録ページ（図８参照）の番組登録入力欄２０２ａにおいて登録を希望する所望のコンテンツの番組名（「健康食材を使った料理番組」）、その番組に関するコメント、コンテンツのファイル名などよりなるコンテンツの指定を行うとともに、関連商品登録欄２０２ｂにおいてそのコンテンツの内容に関連した関連商品の名称（「栄養バランスを考えた料理本」）、それら関連商品を販売する小売業者名｛ＥＣ（：エレクトロニックコマース，電子商取引）を展開する例えば、ａｍａｚｏｎ（登録商標）や楽天（登録商標）等｝、それら小売業者の商品販売ページへのリンク先情報（例えば、ＵＲＬ：ｈｔｔｐ：／／ｗｗｗ．ｂｏｏｋｓ．ｒａｋｕｔｅｎ．ｃｏ．ｊｐなど）、番組及び関連商品ごとのコメントなどよりなるコンテンツ付帯情報を入力する。  
なお、ここでの説明の例では、コンテンツ製作者：「料理研究家Ａ」が、「番組名：健康食材を使った料理番組」というコンテンツに、他の関連商品（「健康食材：黒ゴマ」）の情報を関連付ける場合なので、図８に示すコンテンツ登録ページ２０２の例では、スクロールバー２０２ｃを用いて他の関連商品を入力する欄を表示させて、「番組名：健康食材を使った料理番組」というコンテンツに「健康食材：黒ゴマ」という商品についてのコンテンツ付帯情報も入力する。  
そして、最後に、コンテンツ製作者：「料理研究家Ａ」が、「アップロード」ボタン２０２ｄを押下する（ステップＳ１１６及びステップＳ１１７）。  
また、コンテンツ製作者：「料理研究家Ａ」が、このコンテンツ登録ページ２０２による登録を終了させたい場合には、図８に示すコンテンツ登録ページ２０２の例では、「ログアウト」ボタン２０２ｅを押下する。
【００５７】
前述のように、「アップロード」ボタン２０２ｄが押下されると、登録端末２が入力指定されたコンテンツ及びコンテンツ付帯情報をサーバ端末１に送信処理する（ステップＳ１１８）。
【００５８】
サーバ端末１は、コンテンツ及びコンテンツ付帯情報を受信すると（ステップＳ１１９）、受信したコンテンツからＭＤ５などの演算手法を用いて登録ＩＤの発行処理を行う（ステップＳ１２０）。  
例えば、図９に示すような登録ＩＤの算出処理を行う。図９の例では、「全体ＩＤ：abcdefghi123456789jklmnopqrstuvw」と「部分ＩＤ：123456789abcdefghijklmnopqrstuvw，部分ＩＤ：987654321abcdefghijklmnopqrstuvw，部分ＩＤ：……」を一組にしたものを発行する。
【００５９】
次いで、サーバ端末１は、発行した登録ＩＤとコンテンツ（「番組名：健康食材を使った料理番組」）を対応付けてコンテンツＤＢ１７２（図１０参照）に登録処理するとともに、発行した登録ＩＤとコンテンツ付帯情報（関連商品情報「栄養バランスを考えた料理本」）を対応付けてコンテンツ付帯情報ＤＢ１７４（図１１参照）に登録処理する（ステップＳ１２１）。
【００６０】
その後、サーバ端末１が、登録を完了して登録端末２に登録完了通知を送信することにより、ここでの処理が終了する。
【００６１】
この図５に示す処理を行うことにより、コンテンツ製作者：「料理研究家Ａ」が、「番組名：健康食材を使った料理番組」というコンテンツに「栄養バランスを考えた料理本」という商品の購入に際して使用される情報であるコンテンツ付帯情報を関連付けして登録したことになる。
【００６２】
なお、上記図５に示す登録処理手順に基づきコンテンツ及びコンテンツ付帯情報の登録を行うコンテンツ製作者が自ら開発した商品（以下、単に「製作者開発派生商品」という）を関連商品として登録する場合には、その関連商品を小売業者に卸売りする必要がある。また、第３者が開発した商品（以下、単に「アフェリエイト商品」という）のみを関連商品として登録する場合には、前述のような商品の卸売り作業は不要となる。
【００６３】
また、前述の図５に示す処理手順においては、処理ステップＳ１０９でログイン用の製作者ＩＤを発行する形態について示したが、これに限定されず、製作者ＩＤの発行処理を省いても良い。例えば、処理ステップＳ１０９及び処理ステップＳ１１０の処理を省き、図７及び図８に示す各ページにおいて、製作者ＩＤの表示欄を省くようにする。
【００６４】
次に、図６を用いて、視聴者Ｘが視聴者端末３Ａを用いてコンテンツ製作者：「料理研究家Ａ」がサーバ端末１に登録したコンテンツ（「番組名：健康食材を使った料理番組」）を取得し、コンテンツの再生を開始した場合に、そのコンテンツに関連付けられたコンテンツ付帯情報（関連商品：「栄養バランスを考えた料理本」や、関連商品「健康食材：黒ゴマ」に関する情報）をサーバ端末１から受信する場合の処理の流れについて説明する。
【００６５】
図６は、サーバ端末１と視聴者端末３との間でのコンテンツ及びコンテンツ付帯情報の配信処理手順を示すフローチャートである。
【００６６】
図６において、まず、視聴者Ｘがキーボード３３１やマウス３３２等を用いてコンテンツ取得／再生画面３０１（図１２参照）の表示を指示する操作を行うと、視聴者端末３Ａは、制御部３１が記憶装置３８に格納されているコンテンツ再生処理プログラム３８１を読み出し、表示部３２１にコンテンツ取得／再生画面３０１を表示処理する（ステップＳ２０１）。  
次いで、視聴者端末２は、視聴者Ｘの登録した興味情報等に基づいた番組表情報の受信をサーバ端末１との間で行い、受信した番組表情報に基づきコンテンツ取得／再生画面３０１に図示省略の番組表の表示処理を行う（ステップＳ２０２〜ステップＳ２０６）。
【００６７】
ここで、視聴者Ｘがコンテンツ取得／再生画面３０１に表示された番組表をもとに「番組名：健康食材を使った料理番組」のコンテンツの取得操作を行うと、視聴者端末３Ａがサーバ端末１に対してその指定されたコンテンツの配信要求処理を行う（ステップＳ２０７）。  
すると、サーバ端末１が該当するコンテンツ（「番組名：健康食材を使った料理番組」）をコンテンツＤＢ１７２から検出して視聴者端末３Ａに送信処理する（ステップＳ２０８及びステップＳ２０９）。これにより視聴者端末３Ａがコンテンツを受信する（ステップＳ２１０）。
【００６８】
次いで、視聴者端末３Ａは、視聴者Ｘによるコンテンツ再生開始操作が入力されると（ステップＳ２１１）、取得したコンテンツの再生処理を行う（ステップＳ２１２）。すなわち、コンテンツ取得／再生画面３０１に再生番組（「番組名：健康食材を使った料理番組」）を表示処理する（図１２参照）。
【００６９】
また、視聴者端末３Ａは、コンテンツの再生開始に同期し、コンテンツ再生処理（ステップＳ２１２）と並行して、当該再生コンテンツのＩＤ導出処理および導出ＩＤの送信処理を行い、サーバ端末１との間でコンテンツの特定処理を行う（ステップＳ２１３〜Ｓ２１９）。  
このコンテンツ特定処理において、視聴者端末３Ａが再生コンテンツ全体からの全体ＩＤと再生コンテンツの所定情報量単位での複数の部分ＩＤとを全て算出してそれら算出したＩＤ全てをサーバ端末１に送信してコンテンツを特定するという形態も考えられるが、処理速度を速めるという点から、図６に示す実施例では、以下のような方法を採る。  
すなわち、視聴者端末３Ａは、ステップＳ２１３において、コンテンツからＭＤ５等の演算手法を用いて所定情報量単位の部分ＩＤをまず先頭から一つ求め、その求めた部分ＩＤをサーバ端末１に送信する。  
これにより、サーバ端末１が受信した部分ＩＤをもとにコンテンツＤＢ１７２に登録管理しているコンテンツの中で受信したＩＤに対応する部分ＩＤを先頭に有する登録ＩＤを検索し、一つに特定できる（絞りきれる）かどうかを判定処理する（ステップＳ２１４）。  
ここで、サーバ端末１が、一つに特定できないと判定した場合（ステップＳ２１５ＮＯ）、視聴者端末３Ａに対してコンテンツが特定できなかった旨を通知するコンテンツ未特定通知を行う（ステップＳ２１６）。  
視聴者端末３Ａは、コンテンツ未特定通知を受けると（ステップＳ２１７ＮＯ）、ステップＳ２１３でコンテンツから次の所定情報量単位での部分ＩＤを求めてサーバ端末１に送信処理する。そして、それ以降、サーバ端末１で唯一の登録ＩＤが特定できるまでステップＳ２１３→ステップＳ２１４→ステップＳ２１５ＮＯ→ステップＳ２１６→ステップＳ２１７ＮＯ→ステップＳ２１３の処理を繰り返し行う。なお、視聴者端末３Ａが、サーバ端末１に対して最後の所定情報量単位の部分ＩＤを送信しても登録ＩＤが特定できなかった場合、視聴者端末３Ａは、ステップＳ２１３の処理で、コンテンツ全体から全体ＩＤを求め、サーバ端末１に全体ＩＤを送信する。そして、これに対して、サーバ端末１が、ステップＳ２１４の特定処理において、受信した全体ＩＤと対応する全体ＩＤを有する登録ＩＤを検索するのではなく、既に受信した部分ＩＤと全体ＩＤの組み合わせと同一の組合せの複数の部分ＩＤと全体ＩＤを有する登録ＩＤを有するコンテンツを検索して、コンテンツを一つに特定する。  
他方、サーバ端末１が視聴者端末３Ａから送られてきたＩＤでコンテンツを一つに特定できた（登録ＩＤを一つに特定できた）と判定した場合（ステップＳ２１５ＹＥＳ）、サーバ端末１は視聴者端末３Ａに対してコンテンツが特定できた旨を通知するコンテンツ特定完了通知を行う（ステップＳ２１８）。なお、サーバ端末１において、コンテンツが一つに特定できた場合の様子を図１５に示す。図１５において、この例では、視聴者端末３から部分ＩＤを３つ受信した時点でコンテンツ（Ｃ）に特定できた場合の様子を示している。なお、この例では、視聴者端末３において部分ＩＤ４つ目以降のＩＤ導出及びＩＤ送信処理が中止される。  
これにより、視聴者端末３Ａがコンテンツ特定完了通知を受けて（ステップＳ２１７ＹＥＳ）、ＩＤ導出処理及びＩＤ送信処理を中止する（ステップＳ２１９）。  
前述のステップＳ２１３〜ステップＳ２１９に示すような処理を行うことにより、視聴者端末３が再生コンテンツ全体からの全体ＩＤと再生コンテンツの所定情報量単位での複数の部分ＩＤとを全て算出し、それら算出したＩＤ全てをサーバ端末１に送信してコンテンツを特定する形態に比べて格段に処理速度が速くなり、視聴者端末がコンテンツ付帯情報を取得する時間が短縮し、視聴者の待ち時間を少なくし、視聴者の利便性を向上させることができる。
【００７０】
サーバ端末１は、コンテンツが特定でき、ステップＳ２１８の処理でコンテンツ特定完了通知をした後、ＩＤに対応付けて登録管理しているコンテンツ付帯情報｛関連商品（関連商品名「栄養バランスを考えた料理本」及び関連商品名「健康食材：黒ゴマ」）の情報｝をコンテンツ付帯情報ＤＢ１７３から検出し（ステップＳ２２０）、視聴者端末３にコンテンツ付帯情報ページの配信処理を行う（ステップＳ２２１）。
【００７１】
視聴者端末３Ａは、コンテンツ付帯情報ページを受信すると（ステップＳ２２２）、視聴者Ｘが再生コンテンツに関連付けられた関連商品（関連商品名「栄養バランスを考えた料理本」及び関連商品名「健康食材：黒ゴマ」）を閲覧するためのコンテンツ付帯情報ページ３０２（図１３参照）及び商品販売ページ３０３（図１４参照）を表示部３２１に表示するための「リンク」ボタン３２１ａ（図１２参照）の点滅表示などの処理を行う。そして、例えば、視聴者Ｘがその「リンク」ボタン３２１ａにカーソルなどを合わせると「関連商品を閲覧できます。」という吹き出し３２１ｂが表示され、視聴者Ｘが「リンク」ボタン３２１ａを選択押下することにより、視聴者端末３が図１３に示すコンテンツ付帯情報ページ３０２を表示部３２１に表示処理する。ここでいうコンテンツ付帯情報ページとは、コンテンツ製作者のコメントやシステム管理者で用意したコメント等、関連商品とコンテンツとの関係性などを掲載して、視聴者に関連商品を売り込み、商品購入へと誘導するためのページである。なお、図１３に示すコンテンツ付帯情報ページ３０２の例では、番組表示欄３０２ａに番組の一部を紹介するための静止画像等が表示され、関連商品表示欄３０２ｂに関連商品を紹介するコンテンツ製作者のコメント等が表示されている。  
次いで、視聴者Ｘが、表示されたコンテンツ付帯情報ページ３０２をもとに関連商品に興味を持ち、例えば、リンクのある商品名（３０２ｃ或いは３０２ｄ）を選択押下することで商品を販売する小売業者へのリンク先（ｈｔｔｐ：／／ｂｏｏｋｓ．ｒａｋｕｔｅｎ．ｃｏ．ｊｐなど）を指定し、視聴者端末３が図１４に示す商品販売ページ３０３を表示部３２１に表示処理する（ステップＳ２２３）。なお、この例では、商品名３０２ｄを選択押下すると、図示省略の「健康食材：黒ゴマ」の商品販売ページが表示される。
【００７２】
これにより、視聴者Ｘは、表示された商品販売ページ（３０３）をもとに小売業者から関連商品「栄養バランスを考えた料理本」や、関連商品「健康食材：黒ゴマ」の購入手続きを行って、実際に商品の購入を行うことができる。
【００７３】
また、視聴者Ｘが関連商品の購入手続きを行った場合、小売業者は視聴者Ｘに該当する商品を発送する。また、視聴者Ｘは、商品の代金を小売業者に支払う。
【００７４】
これにより、小売業者がコンテンツ製作者に対して、仕入れた製作者開発派生商品の代金や、アフェリエイト商品の販売手数料等の代金を支払う。
【００７５】
なお、前述の図６に示す処理手順においては、視聴者端末３における処理ステップＳ２１３のＩＤ導出及び導出ＩＤ送信処理をよりはやく中止させるために、コンテンツの特定が行えた後すぐに視聴者端末３に処理ステップＳ２１８でコンテンツ特定完了の通知を行うようにしているが、この処理の順番以外にも、例えば、処理ステップＳ２２０によるコンテンツ付帯情報の検出が行えた後などに行うようにしても良い。  
また、それら以外にも、例えば、処理ステップＳ２１８に示すようなコンテンツ特定完了通知の処理を設けずに、視聴者端末３がコンテンツ付帯情報を受信した場合にＩＤ導出および導出ＩＤ送信処理を中止するようにしても良い。なお、この場合、例えば、処理ステップＳ２１７の判定処理をコンテンツ付帯情報を受信したか否かの判定処理に変更し、処理ステップＳ２２２の処理を省くことで対応する。
【００７６】
また、前述の図６に示す処理手順においては、システム管理者とは別に商品を販売する小売業者（例えば、既存の楽天（登録商標）など）を設ける商品流通形態の処理手順について示しているが、この場合、実際には、小売業者で販売された商品が、図６に示すような本実施例のコンテンツ情報配信システム１００の処理手順を利用して売れたのか、或いは、その他のアクセス（例えば、客が直接小売業者のホームページにアクセスしてきた場合など）によって売れたのかをシステム管理者及び小売業者で把握する必要がある。  
このため、本発明では、システム管理者の管理下にあるサーバ端末１から視聴者端末３に配信するコンテンツ製作者ごとのコンテンツ付帯情報ページ３０２のアドレス情報に、予めコンテンツ製作者の情報（例えば、コンテンツ製作者を特定するための製作者ＩＤなど）を組み込む方法を採る。
【００７７】
例えば、図１３に示す例では、コンテンツ付帯情報ページ３０２のアドレスとして、小売業者がコンテンツ製作者を特定するための製作者ＩＤが挿入された「ｈｔｔｐ：／／ｗｗｗ．ｕａｓｋ．ｃｏ．ｊｐ／ｃｏｎｔｅｎｔｓ  ｆｕｔａｉ／［ＩＤ：Ａ］」というアドレス情報が設定されている。  
そして、小売業者は、アクセス解析ツールを用いて、自己の商品販売ページ３０３のアクセスログを収集し、例えば、リンク元ＵＲＬ（訪問者の訪問元情報）をチェックすることで、前述のコンテンツ付帯情報ページ３０２のリンクから辿って自己の商品販売ページ３０３に訪れてきた視聴者（客）と、その視聴者（客）が購入した商品がどのコンテンツ製作者に関連する商品であるということを特定することができる。これにより、小売業者は、その他の方法でアクセスしてきた客と区別することができる。  
なお、予めシステム管理者から小売業者に対して製作者ＩＤに対応するコンテンツ製作者の情報｛関連商品名や、氏名、連絡先（住所や電話番号やＥ−ｍａｉｌアドレス）、或いは、口座番号等｝を電話、ＦＡＸ、電子メール、或いは、郵便等で通知する。また、システム管理者が小売業者との契約等により前述のコンテンツ付帯情報ページ３０２経由で商品が売れた場合には、該当するコンテンツ製作者に商品販売に伴う利益（仕入れた製作者開発派生商品の代金や、アフェリエイト商品の販売手数料等）の一部を与えることを確約する。  
また、前述の例では、コンテンツ付帯情報ページのアドレスに挿入する情報の一例として、製作者ＩＤを例にして示したが、これ以外にも、例えば、「番組名と関連商品名」などの情報を直接挿入するようにしても良い。
【００７８】
また、前述した実施例では、登録ＩＤをサーバ端末１で発行する形態を採っているが、本発明はこれに限定されず、サーバ端末１で登録ＩＤの発行をせずに、コンテンツ製作者の登録端末２で登録ＩＤを発行するようにしても良い。  
なお、この場合には、前述の実施例で説明したサーバ端末１のコンテンツ情報配信プログラム１７１の登録ＩＤ発行手順と同様の手順を実行するためのプログラムを登録端末２に実装することで対応する。そして、図５の登録処理手順を示すフローチャートにおいて、ステップＳ１１７とステップＳ１１８の間に、登録ＩＤの発行処理（ステップＳ１２７）を追加する。また、ステップＳ１１８の処理において、コンテンツ及びコンテンツ付帯情報それぞれに登録ＩＤを対応付けてからサーバ端末１に対して送信処理を行うようにし、ステップＳ１１８の処理で登録ＩＤと対応付けられたコンテンツ及びコンテンツ付帯情報を受信処理させる。また、ステップＳ１２７を追加する場合には、サーバ端末１におけるステップＳ１２０の登録ＩＤの発行処理を不要となる。
【００７９】
また、前述の実施例では、視聴者端末３が再生コンテンツのＩＤを導出するＩＤ導出手段を実装する形態を示したが、本発明はこれに限定されず、サーバ端末１がＩＤ導出手段を実装する形態にしても良い。  
この場合、例えば、視聴者が視聴者端末３を用いてシステム管理者のホームページにアクセスし、視聴者端末３が、図示省略のコンテンツを指定するためのＷｅｂページ（以下、コンテンツ指定ページという）のデータ受信処理を行って、表示部３２１にそのコンテンツ指定ページの表示処理を行うようにする。また、視聴者がそのコンテンツ指定ページで複製コンテンツを入力指定することで、視聴者端末３がサーバ端末１に対して指定された複製コンテンツの送信処理（アップロード）を行うようにし、それにより、サーバ端末１が受信した複製コンテンツからＩＤの導出処理を行うようにし、該導出したＩＤと対応する登録ＩＤに関連付けられたコンテンツ付帯情報をコンテンツ付帯情報ＤＢから検出して視聴者端末に配信処理するようにする。
【００８０】
また、前述の第１の実施形態では、ＭＤ５という技術を用いて、コンテンツを構成するデータから算出したハッシュ値をＩＤとして発行する形態を示したが、本発明はこれに限定されず、コンテンツを構成するデータから所定のアルゴリズムに従って、そのデータの構造から一つの特定値を算出し、その値をＩＤとして発行するＩＤ発行手段を設ければ良い。  
すなわち、視聴者端末で指定されたコンテンツから導出されるＩＤに対応する登録ＩＤをサーバ端末において特定できれば良い。
【００８１】
また、前述した実施例では、配信するコンテンツをシステム管理者のサーバ端末で登録管理する形態について示したが、本発明はこれに限定されず、視聴者の視聴者端末３がアクセスできるようにリンクされていれば良く、例えば、コンテンツ製作者の登録端末１がコンテンツ（ＤＢ）を保持し、コンテンツを登録管理するようにしても良い。そして、サーバ端末１がコンテンツ製作者の登録端末１に登録管理しているコンテンツに付帯するコンテンツ付帯情報を、そのコンテンツに固有の登録ＩＤと関連付けて記憶する。  
なお、その場合も、コンテンツに固有の登録ＩＤをサーバ端末１で発行するようにしても良いし、登録端末２で発行するようにしても良い。  
【００８２】
また、前述の実施例（図６のフローチャート）では、視聴者端末３がコンテンツをネットワーク４を介して取得する場合の処理手順について説明したが、本発明はこれに限定されず、例えば、視聴者端末３が、ＣＤ−ＲＷ，ＤＶＤ−ＲＷ等の外部情報記憶媒体を介してコンテンツを取得する場合にも対応できる。  
この場合、視聴者端末３とサーバ端末１との間では、図６のフローチャートに示すステップＳ２０１〜ステップＳ２０９までの処理は省略し、ステップＳ２１０から処理をスタートさせる。すなわち、ステップＳ２１０の処理で、視聴者端末３が、視聴者によってセットされた外部情報記憶媒体に記憶されているコンテンツを記憶媒体読取り／書込み部１４で読取ってコンテンツを取得し、以下同様の処理を行うものとする。
【００８３】
また、前述の実施例では、コンテンツ製作者が製作したコンテンツを登録端末２からサーバ端末１にネットワーク４を介して送信して登録する形態について説明したが、本発明はこれに限定されず、コンテンツ製作者が登録するコンテンツを記憶したＣＤ−ＲＷ，ＤＶＤ−ＲＷ等の外部情報記憶媒体をシステム管理者に送付することで、システム管理者側でサーバ端末１にコンテンツを登録する形態を採っても良い。  
この場合、コンテンツ製作者がコンテンツに関連付けるコンテンツ付帯情報を電話連絡などによりシステム管理者に通知しても良いし、上記送付する外部情報記憶媒体にコンテンツとともにコンテンツ付帯情報も記憶させてから送付することで通知しても良い。
【００８４】
また、前述の実施例では、システム管理者とは別の第三者の小売業者｛例えば、ａｍａｚｏｎ（登録商標）や楽天（登録商標）等）を用意し、システム管理者のコンテンツ付帯情報ページ経由で小売業者の商品販売ページへと遷移し、商品販売ページで商品の購入手続きを行う形態について説明したが、本発明はこれに限定されず、前述のような第三者の小売業者を用意せずに、システム管理者がＥＣ（エレクトロニックコマース）を展開して小売業者業も行うようにし、前述の小売業者の商品販売ページを無くしてコンテンツ付帯情報ページで商品購入の手続きを行えるようにしても良い。
【００８５】
また、前述の実施例では、コンテンツ製作者と小売業者が別の人である場合について説明したが、本発明はこれに限定されず、小売業者がコンテンツを製作してコンテンツ製作者になっても良い。この場合は、前述のコンテンツ登録ページ２０２を用いてコンテンツ及びコンテンツ付帯情報を登録する際、自己の業者名及びＵＲＬを入力する。そして、自己が販売した商品の利益は自分のもとなる。
【００８６】
また、前述の実施例に示した各表示画面の構成は一つの例であるので、これに限定されるものではなく、前述した処理の流れを実現できるものであればその他の構成であっても良い。  
また、これに関連して、前述の実施例では、コンテンツ製作者が一つのコンテンツに複数の関連商品を関連付けして登録できる形態のコンテンツ登録ページ２０２について示したが、本発明はこれに限定されず、例えば、一つのコンテンツに一つの関連商品しか関連付けして登録できないようなコンテンツ登録ページにしても良い。
【００８７】
また、前述の実施例では、コンテンツを配布する前に、予めコンテンツ製作者がコンテンツ及びコンテンツ付帯情報をサーバ端末に登録する形態について説明したが、本発明はこれに限定されず、既に世間に出回っているコンテンツを後からサーバ端末に登録することにも対応できる。すなわち、コンテンツ製作者は、既に世間に出回っている自己のコンテンツ及びそのコンテンツに関連付けるコンテンツ付帯情報をサーバ端末に登録することができる。  
これにより、既に世間に出回っているコンテンツでさえも後からシステムに登録することで、コンテンツ製作者の利益に結びつかせることが可能となる。
【００８８】
また、前述の実施例では、サーバ端末１が一つである形態について説明したが、本発明はこれに限定されず、機能別ごとに複数のサーバ端末で構成するようにしても良い。  
例えば、コンテンツＤＢを有し、登録端末２から受信したコンテンツを登録管理するとともに、視聴者端末３からの配信要求に応答してコンテンツを配信処理するコンテンツ配信サーバ端末と、番組表ＤＢを有し、登録端末２から受信したコンテンツ付帯情報を予め用意している番組表に組み込み整理するとともに、視聴者端末３からの要求に応答して番組表データを配信処理する番組表編成サーバ端末と、コンテンツ付帯情報ＤＢを有し、登録端末２から受信したコンテンツ付帯情報を登録管理するとともに、視聴者端末３からの要求に応答してコンテンツ付帯情報を配信処理するコンテンツ付帯情報サーバとに機能別に備えるようにしても良い。
【００８９】
また、前述の実施例では、視聴者端末３でコンテンツの再生を開始すると、コンテンツの再生処理と並行して、コンテンツ付帯情報の受信処理を行って図１２に示すように「リンク」ボタン３２１ａの点滅表示を行う消極的な表示形態について説明したが、本発明はこれに限定されず、前述の「リンク」ボタン３２１ａの点滅表示を行わずに、図１３に示すコンテンツ付帯情報ページ３０２をいきなり表示するような積極的な表示形態を採っても良いものとする。
【００９０】
［２］次に、本発明の第２の実施形態について図１６及び図１７を用いて説明する。
【００９１】
前述の第１の実施形態では、登録ＩＤをＭＤ５（Ｍｅｓｓａｇｅ  Ｄｉｇｅｓｔ  Ａｌｇｏｒｉｔｈｍ５）などの演算手法を用いて発行し、視聴者に配布するコンテンツにはＩＤを付与（埋め込むことを）しない形態について示したが、第２の実施形態では、視聴者に配布するコンテンツにサーバ端末で用意した固有のＩＤを付与（埋め込むことを）する形態について示す。
【００９２】
図１６は、第２の実施形態に係わるコンテンツ情報配信システム１００Ｔの一構成例を示す図であり、図１７は、第２の実施形態に係るコンテンツ及びコンテンツ付帯情報の配信処理手順を示すフローチャートである。  
ここで、図２に示した第１の実施形態に係るコンテンツ情報配信システム１００と相違する点は、ＩＤの発行処理手順と、サーバ端末と視聴者端末の間のコンテンツ及びコンテンツ付帯情報の配信処理手順である。
【００９３】
すなわち、図１６において、サーバ端末１Ｔは、登録端末２から受信したコンテンツ及びコンテンツ付帯情報に予め決められている固有のＩＤ（例えば、連番による他のコンテンツと重複しない固有のＩＤなど）を発行処理する点と、サーバ端末１Ｔが、視聴者端末３Ｔからのコンテンツ配信要求を受けた場合に、該当するコンテンツに該当する固有のＩＤをメタデータなどの形態で付与する点と、その固有のＩＤを付与したコンテンツを利用者端末３Ｔに配信処理する点と、視聴者端末３Ｔが、固有のＩＤが付与されているコンテンツを受信する点と、受信したコンテンツに付与されているＩＤを読み取るなどによってそのＩＤを導出してその導出したＩＤをサーバ端末１に送信する点とが相違する。  
この相違点を図６と図１７を比較しながら説明する。まず、ステップＳ２０９がステップＳ３０９に替わり、ステップＳ２１０がステップＳ３１０に替わり、ステップＳ２１３がステップＳ３１３に替わり、ステップＳ２１４がステップＳ３１４に替わり、ステップＳ２１５およびステップＳ２１６およびステップＳ２１７およびステップＳ２１８が削除された点が相違する。
【００９４】
なお、その他の処理ステップＳについては、対応箇所間で同じ処理を行う。
【００９５】
なお、図１７に示すフローチャートでは、視聴者端末３がコンテンツをネットワーク４を介して取得する場合の処理手順について説明したが、本発明はこれに限定されず、例えば、視聴者端末３が、ＣＤ−ＲＷ，ＤＶＤ−ＲＷ等の外部情報記憶媒体を介してコンテンツを取得する場合にも対応できる。  
この場合、視聴者端末３とサーバ端末１との間では、図１７のフローチャートに示すステップＳ３０１〜ステップＳ３０７までの処理は省略し、ステップＳ３１０から処理をスタートさせる。すなわち、ステップＳ３１０の処理で、視聴者端末３が、視聴者によってセットされた外部情報記憶媒体に記憶されているコンテンツを記憶媒体読取り／書込み部１４で読取ってコンテンツを取得し、以下同様の処理を行うものとする。
【００９６】
最後に、前述した実施形態において、コンテンツ製作者の番組製作活動の支援という意味で、コンテンツを視聴した視聴者がコンテンツ製作者への応援、評価の一つとして投げ銭という形でいくらかのお金を（郵便局や、ＡＴＭ、または、郵貯インターネットサービス等で）コンテンツ製作者に支払う投げ銭システムを導入するようにしても良い。この場合には、コンテンツ付帯情報記憶手段には、前述の実施形態における関連商品情報に代えて、投げ銭をコンテンツ製作者に支払うために必要な情報（口座番号など）がコンテンツ付帯情報として登録ＩＤと関連付けて記憶されることになる。  
また、前述のコンテンツ情報配信システムを提供するにあたって、コンテンツ製作者が登録したコンテンツによって他の人の著作権が侵害されることを未然に阻止するために、コンテンツ登録時に、最低限確認すべき内容の「確認ダイアログ」を出すようにする。そして、例えば、その「確認ダイアログ」に記されている「ＪＡＳＲＡＣ（登録商標）登録楽曲を使用していませんね？」や「他人の曲を無断で使用していないですね？」という事項をコンテンツ製作者に確認させ、例えば「はい」を押さないとコンテンツの登録ができないようにする。  
【００９７】
以上説明した構成によると、前述した図１に示すようなコンテンツの流通形態を提供することができる。
【００９８】
すなわち、本発明によれば、視聴者端末で指定された複製コンテンツ｛オリジナルのコンテンツから何らかの方法（ネットワークからのダウンロードやＤＶＤ−ＲＷなどの外部情報記憶媒体からのコピーなど）により複製されたコンテンツであって、利用者端末において再生、閲覧可能な状態とされたコンテンツ｝からＩＤを導出し、このＩＤに対応する登録ＩＤに関連付けられたコンテンツ付帯情報（コンテンツの関連商品などの情報を視聴者端末において表示させる際に用いる情報）を視聴者端末に送信するようにしているため、視聴者が関連商品に興味を持って実際に関連商品を購入した場合、その商品販売結果に応じてコンテンツ製作者に利益を与えるなどにより、コンテンツ製作者が製作した音楽や動画等のコンテンツ（番組）の複製及び流通を自由にしても、著作権の権利行使やスポンサーを付ける等をせずにコンテンツ製作者の利益を確保することが可能になる。  
また、本発明によれば、視聴者端末においてシステムに登録されたコンテンツに関連付けられた関連商品の購入などに視聴者を誘導するためのコンテンツ付帯情報を視聴者端末に送信するようにしていので、ネットワーク越しで視聴者に配信されたコンテンツが他の視聴者へと複製／流通されるような二次流通でさえ、コンテンツ製作者の利益獲得チャンスに結び付けることができる。  
さらに、本発明によれば、コンテンツの複製及び流通を容認しているので、例えば、配布するコンテンツを暗号化し、認証によりに正統と認められた視聴者端末でのみ再生可能にするようにコンテンツを加工する（再生制限を加える）必要が無く、これにより、例えば、視聴者が視聴者端末に対してコンテンツ再生時にコンテンツの暗号解析処理等の再生制限を解除する処理を実行させるための特別な操作を行わずに済み、よって視聴者の利便性を損なわずに済む。
【００９９】
また、第１の実施形態の構成によれば、音楽や動画等のコンテンツ（番組）のファイルには何ら加工を施していないため、番組放送に当たってのファイル形式への干渉が全く無いので、現存する多種多様なファイル形式の全てに対応できるという利点があるばかりでなく、将来に向けてのフォーマットの高解像度対応などの高度化を全て妨げず、むしろ推進するものとなる。  
なお、第２の実施形態の構成でも、音楽や動画等のコンテンツ（番組）のファイルに埋め込むべき情報をコンテンツ固有ＩＤのみと最小限に抑えているため、番組放送に当たってのファイル形式への干渉が最小限で済み、現存する多種多様なファイル形式の全てに対応できるという利点があるばかりでなく、将来に向けてのフォーマットの高解像度対応などの高度化を全て妨げず、むしろ推進するものとなる。  
【０１００】
また、本発明によれば、従来の放送と同様に、放送システムと物流システムは分離しているため、コンテンツ製作者は自由に物流業者を選定して利用することができる。またそれは、取り扱える商品という点においても、インターネット上でＥＣ展開されている全ての商品を利用できることになる。
【０１０１】
また、本発明によれば、コンテンツとコンテンツ付帯情報とを分離する構成を採っているため、実際に放送を運用した場合に想定される以下のような場合に柔軟に対応することが可能である。  
すなわち、１）製作者開発派生商品を追加または変更したい場合、サーバ端末１で登録管理しているコンテンツ付帯情報のデータを更新することのみで対応可能である。これは、コンテンツとコンテンツ付帯情報を分離しない構成では、流通してしまったファイル上のコンテンツ付帯情報を置き換えることは非常に困難であることに比べて大変有利なことである。  
また、２）公序良俗に反する等の社会的に不適当であるコンテンツが誤って流通してしまった場合、それを完全に停止することはできないが、サーバ端末で登録を抹消することで放送システムからの分離を行うことができる。これにより、サーバ端末から視聴者端末にそのコンテンツに付帯するコンテンツ付帯情報の配信が行われなくなるので、上記不適当なコンテンツを製作したコンテンツ製作者に利益が還元されなくなり、経済的な制裁を行える。  
また、３）コンテンツにはコンテンツ付帯情報が付与されていないので、コンテンツ付帯情報を他社が改ざんして、自サイトに誘導するようなことができない。仮に他社のコンテンツＩＤを自分のコンテンツのものに改ざんしたとしても、そのＩＤも本システムのＩＤであるため、その発見と改ざん先ＩＤの停止が容易である。  
また、本実施例のコンテンツ情報配信システムを提供することにより、コンテンツ（番組）製作者の「自分が製作した番組を多くの人に見てもらいたい」という文化的欲求と、「コンテンツの複製及び流通を自由にしたかわりの見返りをほしい」という経済的欲求とが一致する。このことは、視聴者にとっても精力的に自分の好きなコンテンツ（番組）やコンテンツ製作者を他の人に紹介したという欲求をも解消する。
【０１０２】
また、本実施例のコンテンツ情報配信システムを提供することにより、良質のコンテンツがより広がり易い状況を生み出すことができ、我が国乃至は人類社会全体の知的・文化的成熟に貢献することができる。また、ラジオの発明以来続いていた「マスを前提とした放送観」からの脱却を経済的方面からも推進することができる。
【０１０３】
また、本実施例のコンテンツ情報配信システムを提供することにより、コンテンツ（番組）の流通の中で文化的洗練が行われ、ひいては、アマチュアレベルの番組の乱立だけにとどまらず、プロレベルの番組を流通させることができる。
【０１０４】
また、本実施例のコンテンツ情報配信システムを提供することにより、コンテンツ（番組）に強い影響を受けた視聴者が間接的に番組製作者への対価を支払う仕組みを提供できる。これにより、スポンサーの存在を前提としない番組を配信する放送システムを実現できる。
【０１０５】
また、本実施例のコンテンツ情報配信システムを提供することにより、番組の複製・流通を無制限にしておいた上で、より社会的影響の大きい番組を提供した製作者により多くの経済的メリットを与えるという理念を実現する。  
すなわち、ある番組の社会的影響度を、その番組によって派生した消費行動の大きさであえると定義すると、本発明により実現されるコンテンツ流通形態によれば、社会的影響度の大きいコンテンツ製作者により多くの経済的メリットを与えることができるので、コンテンツ製作者（すなわち、著作権者）が視聴者によるコンテンツのコピー（複製）を歓迎する放送システムを実現することができる。  
また、別の見方をすると、視聴者にとっては、番組を薦める喜びがあり、小売業者にとっては、販売機会獲得チャンスが増え、コンテンツ製作者にとっては、商品販売にともなう代金や紹介料収入を得ることができるので、コンテンツのコピーを全員が歓迎する仕組みを提供できる。
【図面の簡単な説明】
【０１０６】
【図１】本発明によって実現される流通形態を示す図。
【図２】第１の実施形態に係るコンテンツ情報配信システムの一構成例を示す図。
【図３】サーバ端末のシステム構成を示す図。
【図４】視聴者端末のシステム構成を示すブロック図。
【図５】コンテンツ及びコンテンツ付帯情報の登録処理手順を示すフローチャート。
【図６】コンテンツ及びコンテンツ付帯情報の配信処理手順を示すフローチャート。
【図７】登録端末で表示されるコンテンツ製作者登録ページの一構成例を示す図。
【図８】登録端末で表示される登録ページの一構成例を示す図。
【図９】登録ＩＤの一構成例を説明する説明図。
【図１０】コンテンツＤＢの一構成例を示す図。
【図１１】コンテンツ付帯情報ＤＢの一構成例を示す図。
【図１２】視聴者端末で表示されるコンテンツ取得／再生画面の一構成例を示す図。
【図１３】視聴者端末で表示されるコンテンツ付帯情報ページの一構成例を示す図。
【図１４】視聴者端末で表示される商品販売ページの一構成例を示す図。
【図１５】サーバ端末でコンテンツを特定する場合の様子を説明する説明図。
【図１６】第２の実施形態に係るコンテンツ情報配信システムの一構成例を示す図。
【図１７】第２の実施形態に係るコンテンツ及びコンテンツ付帯情報の配信処理手順を示すフローチャート。
【符号の説明】
【０１０７】
１００  コンテンツ情報配信システム
１  システム管理者管理下のサーバ端末
２  コンテンツ製作者が利用する登録端末
３  視聴者が利用する視聴者端末
４  ネットワーク
１１，２１  制御部（ＣＰＵ）
１２，３２  表示処理部
１３，３３  操作処理部
１４，３４  記憶媒体読取り／書込み部
１５，３５  通信インタフェース部
１６，３６  作業メモリ部（ＲＡＭ）
１７，３７  記憶装置（ＨＤ）
１８，３９  システムバス
３７  音声出力処理部
１７１  コンテンツ情報配信プログラム
１７２  コンテンツＤＢ
１７３  番組表ＤＢ
１７４  コンテンツ付帯情報ＤＢ
３７１  スピーカ
３８１  コンテンツ再生処理プログラム
２０１  コンテンツ製作者登録ページ
２０２  コンテンツ登録ページ
１２１，３２１  表示部
１３１，３３１  キーボード
１３２，３３２  マウス
３０１  コンテンツ取得／再生画面
３２１ａ  リンクボタン
３０２  コンテンツ付帯情報ページ
３０３  商品販売ページ
【図１】
2007226286.tif 000003
【図２】
2007226286.tif 000004
【図３】
2007226286.tif 000005
【図４】
2007226286.tif 000006
【図５】
2007226286.tif 000007
【図６】
2007226286.tif 000008
【図７】
2007226286.tif 000009
【図８】
2007226286.tif 000010
【図９】
2007226286.tif 000011
【図１０】
2007226286.tif 000012
【図１１】
2007226286.tif 000013
【図１２】
2007226286.tif 000014
【図１３】
2007226286.tif 000015
【図１４】
2007226286.tif 000016
【図１５】
2007226286.tif 000017
【図１６】
2007226286.tif 000018
【図１７】
2007226286.tif 000019